(57)【要約】【課題】記録に最適なカラードプラ画像を選択し、記憶可能な超音波診断装置を提供すること。【解決手段】本実施形態に係る超音波診断装置１は、圧電振動子を介して被検体との間で超音波を送受信する送受信部２１と、送受信部２１からの出力に基づいて、カラードプラ画像とドプラ波形画像とを有する一連の超音波画像を発生する超音波画像発生部２７と、一連の超音波画像各々に基づいて、記録に適したカラードプラ画像に関する所定の特定情報を発生する特定情報発生部２９と、一連の超音波画像の表示中における所定の操作を契機として、特定情報に基づいて、一連の超音波画像におけるカラードプラ画像から記録に適したカラードプラ画像を選択する選択部３１と、選択されたカラードプラ画像を記憶する記憶部３３と、を具備することを特徴とする。【選択図】      図１
2014166198.tif 000002
【特許請求の範囲】
【請求項１】
圧電振動子を介して被検体との間で超音波を送受信する送受信部と、
前記送受信部からの出力に基づいて、カラードプラ画像とドプラ波形画像とを有する一連の超音波画像を発生する超音波画像発生部と、
前記一連の超音波画像各々に基づいて、記録に適したカラードプラ画像に関する所定の特定情報を発生する特定情報発生部と、
前記一連の超音波画像の表示中における所定の操作を契機として、前記特定情報に基づいて、前記一連の超音波画像における前記カラードプラ画像から前記記録に適したカラードプラ画像を選択する選択部と、
前記選択されたカラードプラ画像を記憶する記憶部と、
を具備することを特徴とする超音波診断装置。
【請求項２】
前記特定情報は、前記カラードプラ画像におけるカラー画像情報およびＢモード画像情報と、前記ドプラ波形画像における血流速情報と、前記被検体に関する生体情報とのうち少なくとも一つの情報を有すること、
を特徴とする請求項１に記載の超音波診断装置。
【請求項３】
前記カラー画像情報は、前記カラードプラ画像におけるカラー画素数を有し、
前記Ｂモード画像情報は、時系列的に隣接する少なくとも２つのＢモード画像の差分により得られる動き量を有し、
前記血流速情報は、ドプラ波形における最大の流速値に対応する最大流速時刻を有し、
前記生体情報は、前記ドプラ波形に対応する周期的な生体信号波形を有すること、
を特徴とする請求項２に記載の超音波診断装置。
【請求項４】
前記選択部は、最大の前記カラー画素数と最小の前記動き量と前記最大流速時刻と前記生体信号波形における所定の位相とのうち少なくとも一つに対応するカラードプラ画像を、前記記録に適したカラードプラ画像として選択すること、
を特徴とする請求項３に記載の超音波診断装置。
【請求項５】
前記特定情報は、前記ドプラ波形に設定された計測カーソルの位置に対応する計測カーソル設定時刻をさらに有し、
前記選択部は、前記計測カーソル設定時刻と前記生体信号波形とに基づいて、前記記録に適したカラードプラ画像を選択すること、
を特徴とする請求項３に記載の超音波診断装置。
【請求項６】
前記特定情報に基づいて、前記記録に適したカラードプラ画像に関する指標を、前記一連の超音波画像各々に対応付けて発生する指標発生部をさらに具備し、
前記選択部は、前記発生された指標に基づいて、前記一連の超音波画像における前記カラードプラ画像から前記記録に適したカラードプラ画像を選択すること、
を特徴とする請求項１に記載の超音波診断装置。
【発明の詳細な説明】
【技術分野】
【０００１】
本発明の実施形態は、被検体における被走査領域を画像化する超音波診断装置に関する。
【背景技術】
【０００２】
従来、超音波診断装置は、カラードプラ画像の表示時において、ドプラ波形の発生またはドプラ波形の更新を実行する操作およびフリーズ操作の入力（以下、所定の操作と呼ぶ）により、例えばパルスドプラ法によりドプラ波形を収集する機能を有する。このとき、カラードプラ画像の更新は、停止される。加えて、超音波診断装置は、ドプラ波形の収集後に、停止されたカラードプラ画像を記憶する。
【０００３】
しかしながら、停止されたカラードプラ画像は、図９に示すように、操作者にとって最適でない画像である場合がある。この要因は、例えば、所定の操作の実行タイミングによって、被検体の呼吸および拍動、超音波プローブを保持する操作者の手の震えなどが、カラードプラ画像に影響を及ぼすことにある。このとき、操作者は、手動で記憶に最適なカラードプラ画像を選択することが可能である。しかしながら、手動によるカラードプラ画像の選択は、操作者にとって煩雑であり、検査効率を低下させることがある。加えて、停止されたカラードプラ画像は、記録に不適な状態で記憶されることがある。
【先行技術文献】
【特許文献】
【０００４】
【特許文献１】特開２００７−３０１３９８号公報
【発明の概要】
【発明が解決しようとする課題】
【０００５】
目的は、記録に最適なカラードプラ画像を選択し、記憶可能な超音波診断装置を提供することにある。
【課題を解決するための手段】
【０００６】
本実施形態に係る超音波診断装置は、圧電振動子を介して被検体との間で超音波を送受信する送受信部と、前記送受信部からの出力に基づいて、カラードプラ画像とドプラ波形画像とを有する一連の超音波画像を発生する超音波画像発生部と、前記一連の超音波画像各々に基づいて、記録に適したカラードプラ画像に関する所定の特定情報を発生する特定情報発生部と、前記一連の超音波画像の表示中における所定の操作を契機として、前記特定情報に基づいて、前記一連の超音波画像における前記カラードプラ画像から前記記録に適したカラードプラ画像を選択する選択部と、前記選択されたカラードプラ画像を記憶する記憶部と、を具備することを特徴とする超音波診断装置。
【図面の簡単な説明】
【０００７】
【図１】図１は、第１の実施形態に係る超音波診断装置の構成を示す構成図である。
【図２】図２は、第１の実施形態に係り、特定情報発生部により発生される特定情報の一覧の一例を示す図である。
【図３】図３は、第１の実施形態に係り、ドプラ波形画像とともに表示された心電図において、最大流速時刻とＲ波の時刻と時間間隔とを示す図である。
【図４】図４は、第１の実施形態に係り、トリプレックス表示とともに表示された心電図において、計測カーソル設定時刻とＲ波の時刻と時間間隔とを示す図である。
【図５】図５は、第１の実施形態に係り、選択されたカラードプラ画像を、ドプラ波形画像とともに示す図である。
【図６】図６は、第１の実施形態に係り、カラードプラ画像選択処理の手順の一例を示すフローチャートである。
【図７】図７は、第２の実施形態に係る超音波診断装置の構成を示す構成図である。
【図８】図８は、カラードプラ画像指標選択処理の手順の一例を示すフローチャートである。
【図９】図９は、従来技術において、記録に最適でないカラードプラ画像の一例を示す図である。
【発明を実施するための形態】
【０００８】
以下、図面を参照しながら本実施形態に係わる超音波診断装置を説明する。なお、以下の説明において、略同一の構成を有する構成要素については、同一符号を付し、重複説明は必要な場合にのみ行う。
【０００９】
（第１の実施形態）  
図１は、第１の実施形態に係る超音波診断装置１の構成を示す構成図である。同図に示すように、超音波診断装置１は、超音波プローブ１１と、装置本体１３と、表示部１５と、装置本体１３に接続され操作者からの各種指示・命令・情報を装置本体１３に取り込むための入力部１７とを有する。加えて本超音波診断装置１には、心電計、心音計、脈波計などに代表される生体信号計測部１９およびネットワークが、インターフェース（ＩｎｔｅｒＦａｃｅ）３７を介して接続されてもよい。生体信号計測部１９は、被検体に関する生体信号波形を計測する。生体信号計測部１９は、計測した生体信号波形を、後述するインターフェース部３７を介して装置本体１３に出力する。生体計測部は、例えば、心電計、心音計、脈波計などである。
【００１０】
超音波プローブ１１は、複数の圧電振動子と、整合層と、複数の圧電振動子の背面側に設けられるバッキング材とを有する。複数の圧電振動子は、圧電セラミックス等の音響／電気可逆的変換素子である。複数の圧電振動子は並列され、超音波プローブ１１の先端に装備される。なお、一つの圧電振動子が一チャンネルを構成するものとして説明する。圧電振動子は、後述する送受信部２１から供給される駆動信号に応答して超音波を発生する。
【００１１】
超音波プローブ１１を介して被検体Ｐに超音波が送信されると、送信された超音波（以下、送信超音波と呼ぶ）は、被検体内の生体組織における音響インピーダンスの不連続面で反射される。圧電振動子は、反射された超音波を受信し、エコー信号を発生する。エコー信号の振幅は、超音波の反射に関する不連続面を境界とする音響インピーダンスの差に依存する。また、送信超音波が移動している血流、および心臓壁等の表面で反射された場合のエコー信号の周波数は、ドプラ効果により、移動体（血流および心臓壁の表面）の超音波送信方向の速度成分に依存して偏移する。
【００１２】
以下、超音波プローブ１１は、１次元アレイを複数の振動子の配列方向と直交する方向に揺動させて３次元走査を実行するメカニカル４次元プローブとして説明する。なお、超音波プローブ１１は、メカニカル４次元プローブに限定されず、２次元アレイプローブであってもよい。すなわち、超音波プローブ１１は、３次元的なエコー信号を取得することができるプローブである。
【００１３】
整合層は、被検体Ｐに対する超音波の送受信を効率よくするために、複数の圧電振動子の超音波放射面側に設けられる。バッキング材は、圧電振動子の後方への超音波の伝搬を防止する。
【００１４】
装置本体１３は、送受信部２１と、Ｂモード処理部２３と、ドプラ処理部２５と、超音波画像発生部２７と、特定情報発生部２９と、選択部３１と、記憶部３３と、画像合成部３５と、インターフェース部３７と、制御プロセッサ（中央演算処理装置：Ｃｅｎｔｒａｌ  Ｐｒｏｃｅｓｓｉｎｇ  Ｕｎｉｔ：以下ＣＰＵと呼ぶ）３９とを有する。
【００１５】
送受信部２１は、後述するＣＰＵ３９による制御のもとで、超音波プローブ１１における複数の圧電振動子各々に駆動信号を供給する。送受信部２１は、各圧電振動子によって発生された受信エコー信号に基づいて、受信信号を発生する。
【００１６】
具体的には、送受信部２１は、図示していないパルス発生器と、送信遅延回路と、パルサ回路と、プリアンプと、アナログディジタル（Ａｎａｌｏｇ  ｔｏ  ｄｉｇｉｔａｌ（以下、Ａ／Ｄと呼ぶ））変換器と、受信遅延回路と、加算器とを有する。
【００１７】
パルス発生器は、所定のレート周波数ｆｒＨｚ（周期：１／ｆｒ秒）で、送信超音波を形成するためのレートパルスを繰り返し発生する。発生されたレートパルスは、チャンネル数に分配され、送信遅延回路に送られる。
【００１８】
送信遅延回路は、複数のチャンネルごとに、送信超音波をビーム状に収束し、かつ送信指向性を決定するために必要な遅延時間（以下、送信遅延時間と呼ぶ）を、各レートパルスに与える。送信超音波の送信方向または送信遅延時間（以下、送信遅延パターンと呼ぶ）は、後述する記憶部３３に記憶される。記憶部３３に記憶された送信遅延パターンは、後述するＣＰＵ３９により超音波の送信時に参照される。
【００１９】
パルサ回路は、このレートパルスに基づくタイミングで、超音波プローブ１１の圧電振動子ごとに電圧パルス（駆動信号）を印加する。これにより、超音波ビームが被検体に送信される。プリアンプは、超音波プローブ１１を介して取り込まれた被検体Ｐからのエコー信号をチャンネル毎に増幅する。Ａ／Ｄ変換器は、増幅された受信エコー信号をディジタル信号に変換する。
【００２０】
受信遅延回路は、ディジタル信号に変換された受信エコー信号に、受信指向性を決定するために必要な遅延時間（以下、受信遅延時間と呼ぶ）を与える。エコー信号の受信方向または受信遅延時間（以下、受信遅延パターンと呼ぶ）は、後述する記憶部３３に記憶される。記憶部３３に記憶された受信遅延パターンは、後述するＣＰＵ３９により超音波の受信時に参照される。
【００２１】
加算器は、遅延時間が与えられた複数のエコー信号を加算する。この加算により、送受信部２１は、受信指向性に応じた方向からの反射成分を強調した受信信号（ＲＦ（ｒａｄｉｏｆｒｅｑｕｅｎｃｙ）信号ともいう）を発生する。この送信指向性と受信指向性とにより超音波送受信の総合的な指向性が決定される。この総合的な指向性により、超音波ビーム（いわゆる「超音波走査線」）が決まる。
【００２２】
Ｂモード処理部２３は、送受信部２１から出力された受信信号に基づいて、Ｂモードデータを発生する。なお、Ｂモード処理部２３は、Ｂモードデータに基づいて、Ｂモードに関するボリュームデータを発生してもよい。Ｂモード処理部は、図示していない包絡線検波器、対数変換器などを有する。包絡線検波器は、送受信部２１から出力された受信信号に対して包絡線検波を実行する。包絡線検波器は、包絡線検波された信号を、後述する対数変換器に出力する。対数変換器は、包絡線検波された信号に対して対数変換して弱い信号を相対的に強調する。Ｂモード処理部２３は、対数変換器により強調された信号に基づいて、各走査線における深さごとの信号値（Ｂモードデータ）を発生する。
【００２３】
なお、Ｂモード処理部２３は、被走査領域におけるアジマス（Ａｚｉｍｕｔｈ）方向、エレベーション（Ｅｌｅｖａｔｉｏｎ）方向、深さ方向（以下レンジ（Ｒａｎｇｅ）方向と呼ぶ）にそれぞれ対応付けて配列された複数の信号値に基づいて、ボリュームデータを発生してもよい。レンジ方向とは、走査線上の深さ方向である。アジマス方向とは例えば、１次元圧電振動子の配列方向に沿った電子走査方向である。エレベーション方向とは、１次元圧電振動子の機械的揺動方向である。なお、ボリュームデータは、複数の画素値または複数の輝度値などを、走査線に沿って、アジマス方向、エレベーション方向、レンジ方向にそれぞれ対応付けて配列させたデータであってもよい。
【００２４】
ドプラ処理部２５は、送受信部２１から出力された受信信号に基づいて、ドプラデータを発生する。なお、ドプラ処理部２５は、ドプラデータに基づいて、ドプラモードに関するボリュームデータを発生してもよい。ドプラ処理部２５は、図示していないミキサー、低域通過フィルタ（Ｌｏｗ  Ｐａｓｓ  Ｆｉｌｔｅｒ：以下ＬＰＦと呼ぶ）、速度／分散／Ｐｏｗｅｒ演算デバイス等を有する。ミキサーは、送受信部２１から出力された受信信号に、送信周波数と同じ周波数ｆ０を有する基準信号を掛け合わせる。この掛け合わせにより、ドプラ偏移周波数ｆｄの成分の信号と（２ｆ０＋ｆｄ）の周波数成分を有する信号とが得られる。ＬＰＦは、ミキサーからの２種の周波数成分を有する信号のうち、高い周波数成分（２ｆ０＋ｆｄ）の信号を取り除く。ドプラ処理部２５は、高い周波数成分（２ｆ０＋ｆｄ）の信号を取り除くことにより、ドプラ偏移周波数ｆｄの成分を有するドプラ信号を発生する。
【００２５】
なお、ドプラ処理部２５は、ドプラ信号を発生するために、直交検波方式を用いてもよい。このとき、受信信号（ＲＦ信号）は、直交検波されＩＱ信号に変換される。ドプラ処理部２５は、ＩＱ信号を複素フーリエ変換することにより、ドプラ偏移周波数ｆｄの成分を有するドプラ信号を発生する。ドプラ信号は、例えば、血流、組織、造影剤によるドプラ成分である。
【００２６】
速度／分散／Ｐｏｗｅｒ演算デバイスは、図示していないＭＴＩ（Ｍｏｖｉｎｇ  Ｔａｒｇｅｔ  Ｉｎｄｉｃａｔｏｒ）フィルタ、ＬＰＦフィルタ、自己相関演算器等を有する。なお、自己相関演算器の代わりに相互相関演算器を有していてもよい。ＭＴＩフィルタは、発生されたドプラ信号に対して、臓器の呼吸性移動や拍動性移動などに起因するドプラ成分（クラッタ成分）を除去する。ＭＴＩフィルタは、ドプラ信号から血流に関するドプラ成分（以下、血流ドプラ成分と呼ぶ）を抽出するために用いられる。ＬＰＦは、ドプラ信号から組織の移動に関するドプラ成分（以下、組織ドプラ成分と呼ぶ）を抽出するために用いられる。
【００２７】
自己相関演算器は、血流ドプラ成分及び組織ドプラ成分に対して自己相関値を算出する。自己相関演算器は、算出された自己相関値に基づいて、血流および組織の平均速度値、分散値、ドプラ信号の反射強度（パワー）等を算出する。速度／分散／Ｐｏｗｅｒ演算デバイスは、複数のドプラ信号に基づく血流および組織の平均速度値、分散値、ドプラ信号の反射強度等に基づいて、被走査領域の各位置におけるカラードプラデータを発生する。以下、ドプラ信号とカラードプラデータとをまとめて、ドプラデータと呼ぶ。
【００２８】
超音波画像発生部２７は、図示していないディジタルスキャンコンバータ（Ｄｉｇｉｔａｌ  Ｓｃａｎ  Ｃｏｎｖｅｒｔｅｒ：以下ＤＳＣと呼ぶ）と、画像メモリとを有する。超音波画像発生部２７は、ＤＳＣに対して、座標変換処理（リサンプリング）を実行する。座標変換処理とは、例えば、Ｂモードデータおよびドプラデータからなる超音波スキャンの走査線信号列を、テレビなどに代表される一般的なビデオフォーマットの走査線信号列に変換する処理である。超音波画像発生部２７は、座標変換処理により、表示画像としての超音波画像を生成する。具体的には、超音波画像発生部２７は、Ｂモードデータに基づいて、Ｂモード画像を発生する。超音波画像発生部２７は、カラードプラデータに基づいて、平均速度画像、分散画像などのカラー血流画像と、ドプラ信号の反射強度を示すパワー血流画像などを発生する。
【００２９】
超音波画像発生部２７は、Ｂモード画像にカラー血流画像を重畳させた重畳画像を発生する。超音波画像発生部２７は、Ｂモード画像にパワー血流画像を重畳させた重畳画像を発生する。以下、説明を簡便にするため、Ｂモード画像にカラー血流画像を重畳させた重畳画像と、Ｂモード画像にパワー血流画像を重畳させた重畳画像とをまとめてカラードプラ画像と呼ぶ。超音波画像発生部２７は、ドプラ信号に基づいて、ドプラ波形を示すドプラ波形画像を発生する。超音波画像発生部２７は、カラードプラ画像とドプラ波形画像とを有する超音波画像を発生する。なお、超音波画像は、Ｂモード画像とドプラ波形画像とを有していてもよい。
【００３０】
超音波画像発生部２７は、後述する入力部１７を介してドプラ波形の収集に関する所定の操作が実行されるまで、時系列的に一連の複数の超音波画像を発生する。なお、超音波画像発生部２７は、ドプラ波形の収集後において、再度、一連の超音波画像を発生することも可能である。超音波画像発生部２７は、発生した超音波画像を、後述する画像合成部３５、および図示していない画像メモリに出力する。
【００３１】
画像メモリは、発生された超音波画像に対応するデータ（以下、画像データと呼ぶ）を記憶する。画像メモリに記憶された画像データは、後述する入力部１７を介した操作者の指示により、読み出される。画像メモリは、例えば、フリーズする直前の一連のフレームに対応する超音波画像を保存するメモリである。画像メモリに記憶されている画像を、表示部１５に連続表示（シネ表示）させることで、超音波動画像が表示部１５に表示される。画像メモリは、後述する選択部３１により選択されたカラードプラ画像に対応する時刻を中心とした所定の範囲の時間幅に含まれる複数の超音波画像を記憶してもよい。これにより、所定の範囲の時間幅に含まれる複数の超音波画像を連続表示（シネ表示）させることで、超音波動画像が表示部１５に表示される。
【００３２】
特定情報発生部２９は、超音波画像に基づいて、記録に適したカラードプラ画像に関する所定の特定情報を発生する。所定の特定情報とは、例えば、カラー血流画像およびパワー血流画像に関する情報（以下、カラー画像情報と呼ぶ）、Ｂモード画像に関する情報（以下、Ｂモード画像情報と呼ぶ）、ドプラ波形画像における血流の速度に関する情報（以下、血流速情報と呼ぶ）、ドプラ波形に対応する周期的な生体信号波形に関する情報（生体情報）などのうち少なくとも一つの情報である。生体信号波形とは、例えば、心電波形、心音波形、脈波波形などのドプラ波形およびカラードプラ画像の発生に関連付けられた周期的な波形である。以下、説明を簡単にするため、生体信号波形は、心電波形とする。
【００３３】
具体的には、特定情報発生部２９は、カラー画像情報として、カラー血流画像およびパワー血流画像のカラー領域における画素数（以下、カラー画素数と呼ぶ）を、一連の超音波画像各々についてカウントする。特定情報発生部２９は、発生したカラー画像情報（カラー画素数）を、後述する選択部３１に出力する。
【００３４】
特定情報発生部２９は、一連の超音波画像において、時間的に隣接する２つのＢモード画像の差分の絶対値を示す差分絶対値画像を発生する。特定情報発生部２９は、差分絶対値画像を用いて、被走査領域におけるＢモード画像の動きを検出する。Ｂモード画像の動きとは、例えば、被走査領域内の各点における動きベクトルである。すなわち、特定情報発生部２９は、被走査領域内の各点における動きベクトルを示す動きベクトル場を発生する。なお、特定情報発生部２９は、時間的に隣接する２つのＢモード画像を用いた相関マッチングにより、動きベクトルを検出してもよい。これらのことから、特定情報発生部２９は、Ｂモード画像情報として、一連の超音波画像各々に対応する動きベクトル場を発生する。特定情報発生部２９は、発生したＢモード画像情報（動きベクトル場）を、後述する選択部３１に出力する。
【００３５】
特定情報発生部２９は、血流速情報として、ドプラ波形画像におけるドプラ波形に基づいて、最大流速値に対応する最大流速時刻を決定する。具体的には、特定情報発生部２９は、ドプラ波形に基づいて、血流の最大流速値を特定する。特定情報発生部２９は、特定された最大流速値に基づいて、最大流速時刻を決定する。特定情報発生部２９は、決定した最大流速時刻を、後述する選択部３１に出力する。なお、特定情報発生部２９は、血流速情報として、一連の超音波画像のカラー血流画像上に設定されたサンプルゲート近傍の血流の平均流速値を、一連の超音波画像各々について発生してもよい。
【００３６】
特定情報発生部２９は、ドプラ波形画像におけるドプラ波形に設定された計測カーソルの位置に基づいて、計測カーソルの設定時刻（以下、計測カーソル設定時刻と呼ぶ）を決定する。計測カーソルは、表示部１５に表示されたドプラ波形画像のドプラ波形上に、血流流速を計測するための位置を、入力部１７を介して設定するためのカーソルである。すなわち、ドプラ波形上に設定された位置に対応する時刻において、血流流速が計測される。
【００３７】
図２は、特定情報発生部２９により発生される特定情報の一覧の一例を示す図である。なお、特定情報発生部２９は、図２に示した複数項目の特定情報のうち少なくとも一つの特定情報を発生してもよい。
【００３８】
選択部３１は、一連の超音波画像の表示中において、後述する入力部１７を介した所定の操作を契機として、特定情報に基づいて、一連の超音波画像における複数のカラードプラ画像から、記録に適したカラードプラ画像を選択する。選択部３１は、選択したカラードプラ画像を、表示部１５と記憶部３３とに出力する。所定の操作とは、例えば、ドプラ波形のアップデートの操作、フリーズ操作などの入力部１７を介した入力操作である。なお、所定の操作は、パルスドプラの実行指示または連続波ドプラに関する実行指示に対応するドプラモード開始ボタンの押下であってもよい。
【００３９】
具体的には、選択部３１は、一連の超音波画像から、最大のカラー画素数または最大の平均流速値を有するカラードプラ画像を選択する。なお、選択部３１は、一連の超音波画像から、動きベクトル場が最も小さいＢモード画像を有するカラードプラ画像を選択してもよい。なお、選択対象となる一連の超音波画像は、被検体に対して発生されたすべての超音波画像であってもよい。また、選択対象となる一連の超音波画像は、心電波形における所定の位相により予め設定された範囲における複数の超音波画像であってもよい。
【００４０】
また、選択部３１は、Ｂモード画像にカラー血流画像を重畳させた重畳画像とドプラ波形画像とを同時に表示するトリプレックス表示が実行されている場合、一連の超音波画像から、最大流速時刻に対応するカラードプラ画像を選択することも可能である。なお、選択部３１は、トリプレックス表示でない場合、最大流速時刻の直前の心電波形のＲ波の時刻から最大流速時刻までの時間間隔と最大流速時刻の直前のＲ波の時刻とに基づいて、一連の超音波画像から、最大流速時刻に対応するカラードプラ画像を選択することも可能である。
【００４１】
図３は、トリプレックス表示でない場合、すなわち、ドプラ波形画像と心電波形と表示されている場合において、最大流速時刻と最大流速時刻の直前のＲ波の時刻と時間間隔とを示す図である。なお、図３において、Ｂモード画像が同時に表示されてもよい。図３に示すように、トリプレックス表示でない場合、最大流速時刻が決定されると、選択部３１は、最大流速時刻の直前のＲ波の時刻と、時間間隔とに基づいて、最大流速時刻に対応するカラードプラ画像を、一連の超音波画像から選択する。
【００４２】
また、選択部３１は、計測カーソル設定時刻の直前のＲ波の時刻と計測カーソル設定時刻との時間間隔を決定する。なお、生体信号波形が心音波形である場合、選択部３１は、心音波形のＩ音の時刻と計測カーソル設定時刻との時間間隔を決定してもよい。また、生体信号波形が脈波波形である場合、選択部３１は、脈波波形における加速度脈波のａ波の時刻と計測カーソル設定時刻との時間間隔を決定してもよい。選択部３１は、決定した時間間隔とＲ波の時刻とに基づいて、一連の超音波画像から、計測カーソル設定時刻に対応するカラードプラ画像を選択することも可能である。
【００４３】
図４は、トリプレックス表示とともに表示された心電図において、計測カーソル設定時刻とＲ波の時刻と時間間隔とを示す図である。図４に示すように、トリプレックス表示において、計測カーソルが設定されると、選択部３１は、計測カーソル設定時刻直前のＲ波の時刻と、時間間隔とに基づいて、計測カーソル設定時刻に対応するカラードプラ画像を、一連の超音波画像から選択する。
【００４４】
なお、選択部３１は、心電波形上において、計測カーソル設定時刻に対応する複数の心電位相を選択することも可能である。この時、選択部３１は、一連の超音波画像から、複数の心電位相にそれぞれ対応する複数のカラードプラ画像を選択する。次いで、選択部３１は、選択された複数のカラードプラ画像から、例えば、最大のカラー画素数、最大の平均流速値、または最小の動きベクトル場を有するカラードプラ画像を、記録に適したカラードプラ画像として選択してもよい。
【００４５】
選択部３１は、例えば、図２に示すような特定情報の複数の項目、すなわちカラー画素数、平均流速値、強度、動きベクトル場、最大流速時刻、生体信号波形、計測カーソル設定時刻などを複合的に用いて、一連の超音波画像から、記録に適したカラードプラ画像を選択することも可能である。
【００４６】
記憶部３３は、フォーカス深度の異なる複数の受信遅延パターンおよび複数の送信遅延パターン、診断プロトコル、送受信条件等の各種データ群を記憶する。記憶部３３は、超音波画像発生部２７で発生された超音波画像、Ｂモード画像、カラードプラ画像、カラー血流画像、パワー血流画像、ドプラ波形画像などを記憶する。記憶部３３は、本超音波診断装置１の制御プログラム、特定情報の発生に関する特定情報発生プログラム、記録に適したカラードプラ画像を選択する画像選択プログラムなどを記憶する。記憶部３３は、選択部３１により選択されたカラードプラ画像を記憶する。
【００４７】
画像合成部３５は、Ｂモード画像、カラードプラ画像、ドプラ波形画像などに、種々のパラメータ、文字情報、目盛等を合成する。画像合成部３５は、種々のパラメータ、文字情報、目盛等を合成したＢモード画像、ドプラ画像、カラードプラ画像、ドプラ波形画像などを表示部１５に出力する。
【００４８】
インターフェース部３７は、入力部１７、ネットワーク、図示していない外部記憶装置および生体信号計測部１９に関するインターフェースである。装置本体１３によって得られた超音波画像等のデータおよび解析結果等は、インターフェース部３７とネットワークとを介して他の装置に転送可能である。なお、インターフェース部３７は、ネットワークを介して、図示していない他の医用画像診断装置で取得された被検体に関する医用画像を、ダウンロードすることも可能である。加えて、インターフェース部３７には、心電計、心音計、脈波計などに代表される生体信号計測部１９が接続される。
【００４９】
ＣＰＵ３９は、操作者により入力部１７を介して入力されたフレームレート、被走査深度、送信開始・終了に基づいて、記憶部３３に記憶された送信遅延パターン、受信遅延パターンと装置制御プログラムとを読み出し、これらに従って装置本体１３を制御する。ＣＰＵ３９は、特定情報発生プログラムを記憶部３３から読み出し、特定情報発生部２９を制御する。ＣＰＵ３９は、画像選択プログラムを記憶部３３から読み出し、選択部３１を制御する。
【００５０】
表示部１５は、画像合成部３５からの出力に基づいて、Ｂモード画像、カラードプラ画像、ドプラ波形画像、生体信号波形などを表示する。なお、表示部１５は、表示された画像に対して、ブライトネス、コントラスト、ダイナミックレンジ、γ補正などの調整および、カラーマップの割り当てを実行してもよい。表示部１５は、カラードプラ画像をドプラ波画像とともに示すトリプレックス表示を実行する。表示部１５は、選択部３１により選択されたカラードプラ画像を表示する。なお、表示部１５は、所定の範囲の時間幅に含まれる複数の超音波画像を連続表示（シネ表示）させることで、超音波動画像を表示することも可能である。
【００５１】
図５は、選択されたカラードプラ画像を、ドプラ波形画像とともに示す図である。図５に示すように、選択部３１により選択されたカラードプラ画像は、表示部１５に表示される。
【００５２】
入力部１７は、インターフェース部３７に接続され操作者からの各種指示・命令・情報・選択・設定を装置本体１３に取り込む。入力部１７は、図示していないトラックボール、スイッチボタン、マウス、キーボード等の入力デバイスを有する。入力デバイスは、表示画面上に表示されるカーソルの座標を検出し、検出した座標を後述するＣＰＵ３９に出力する。なお、入力デバイスは、表示画面を覆うように設けられたタッチコマンドスクリーンでもよい。この場合、入力部１７は、電磁誘導式、電磁歪式、感圧式等の座標読み取り原理でタッチ指示された座標を検出し、検出した座標をＣＰＵ３９に出力する。また、操作者が入力部１７の終了ボタンを操作すると、超音波の送受信は終了し、装置本体１３は一時停止状態となる。
【００５３】
また、入力部１７は、ドプラ波形のアップデートの操作、フリーズ操作、ドプラモード開始ボタンの押下などの所定の操作を、装置本体１３に入力する。ドプラ波形のアップデートの操作、ドプラモード開始ボタンの押下の入力を契機として、ドプラ波形を取得するために、被検体に対する超音波の送受信が実行される。また、入力部１７は、特定情報における複数の項目のうちカラードプラ画像の選択に用いられる項目を、操作者の指示により、任意に選択入力可能である。
【００５４】
（カラードプラ画像選択機能）  
カラードプラ画像選択機能とは、特定情報に基づいて、一連の超音波画像から、記録に適したカラードプラ画像を選択する機能である。以下、カラードプラ画像選択機能に関する処理（以下、カラードプラ画像選択処理と呼ぶ）について説明する。
【００５５】
図６は、カラードプラ画像選択処理の手順の一例を示すフローチャートである。
【００５６】
被検体に対する超音波の送受信により、超音波画像が発生される（ステップＳａ１）。発生された超音波画像に基づいて、特定情報が発生される（ステップＳａ２）。発生された特定情報が、超音波画像におけるカラードプラ画像と対応付けて、カラードプラ画像とともに記憶部３３に記憶される（ステップＳａ３）。所定の操作が入力されるまで、ステップＳａ２とステップＳａ３との処理が繰り返される（ステップＳａ４）。
【００５７】
所定の操作が入力される（ステップＳａ４）と、特定情報に基づいて、記録に適したカラードプラ画像が選択される（ステップＳａ５）。選択されたカラードプラ画像が、表示部１５に表示される（ステップＳａ６）。選択されたカラードプラ画像が、記憶部３３に記憶される（ステップＳａ７）。
【００５８】
（変形例）  
第１の実施形態との相違は、Ｂモード画像情報を、時間的に隣接する３つ以上のＢモード画像の差分により、上記動き量を検出することにある。すなわち、本変形例は、例えば、時系列に連続したｎ（ｎは３以上の自然数）枚のＢモード画像を差分することにより、動きベクトルを検出する。
【００５９】
特定情報発生部２９は、一連の超音波画像において、時間的に隣接する３つ以上のＢモード画像のうち、隣接する２つのＢモード画像の差分の絶対値を示す差分絶対値画像を発生する。例えば、時系列的に一連のｎ（ｎは３以上の自然数）枚のＢモード画像を用いる場合、（ｎ−１）枚の差分絶対値画像が、発生される。特定情報発生部２９は、（ｎ−１）枚の差分絶対値画像を用いて、被走査領域内の各点における動きベクトルを示す動きベクトル場を発生する。なお、特定情報発生部２９は、時間的に隣接する少なくとも３つ以上のＢモード画像を用いた相関マッチングにより、動きベクトルを検出してもよい。これらのことから、特定情報発生部２９は、Ｂモード画像情報として、一連の超音波画像各々に対応する動きベクトル場を発生する。特定情報発生部２９は、発生したＢモード画像情報（動きベクトル場）を、選択部３１に出力する。
【００６０】
以上に述べた構成によれば、以下の効果を得ることができる。  
本実施形態における超音波診断装置１によれば、超音波画像に基づいて発生された特定情報に基づいて、記録に最適なカラードプラ画像を選択することができる。これにより、操作者が所望する記録に最適なカラードプラ画像（高画質、最大カラー画素数、最大流速値などを有するカラードプラ画像）を、表示および記憶することができる。以上のことから、所定の操作の実行タイミングによって、被検体の呼吸および拍動、超音波プローブを保持する操作者の手の震えなどが、カラードプラ画像に影響を及ぼすことを回避することができる。加えて、本実施形態によれば、自動的に記録に最適なカラードプラ画像を選択できることから、操作者の手を煩わせることなく、検査効率を向上させることができる。また、記録に不適な状態でカラードプラ画像を記憶させることを回避することができる。
【００６１】
また、本変形例によれば、特定情報におけるＢモード画像情報（動きベクトル場）を、３つ以上のＢモード画像を用いて発生することも可能である。
【００６２】
（第２の実施形態）  
第１の実施形態との相違は、特定情報に基づいて指標を発生し、発生された指標に基づいて、記録に適切なカラードプラ画像を選択することにある。
【００６３】
図７は、第２の実施形態に係る超音波診断装置の構成を示す構成図である。  
指標発生部４１は、特定情報に基づいて、記録に適したカラードプラ画像に関する指標を、一連の超音波画像各々に対応付けて発生する。具体的には、指標発生部４１は、カラー画素数とパワー血流画像における明るさの強度とに基づいて、カラー画像情報に関する指標（以下、カラー指標と呼ぶ）を発生する。カラー指標は、カラー血流画像およびパワー血流画像の表示領域における血流の豊富さに関する指標である。すなわち、カラー指標の大きさは血流の豊富さに比例する。
【００６４】
指標発生部４１は、時間的に隣接する２つのＢモード画像に基づいて、被走査領域における動きベクトルに関する指標（以下、動き指標と呼ぶ）を発生する。動き指標は、Ｂモード画像のぶれに関する指標である。すなわち、動き指標の大きさは、被走査領域の動きに比例する。
【００６５】
指標発生部４１は、カラー血流画像におけるサンプルゲート近傍（以下、サンプルゲート近傍領域と呼ぶ）の平均流速値と、ドプラ波形における最大流速値とに基づいて、血流速情報に関する指標（以下、血流速指標と呼ぶ）を発生する。血流速指標は、サンプルゲートを含むサンプルゲート近傍領域における血流速度に関する指標である。すなわち、血流速指標の大きさは、血流の速度に比例する。
【００６６】
指標発生部４１は、上記複数の指標を、一連の超音波画像各々に対応付けて発生する。指標発生部４１は、発生した複数の指標を、記憶部３３と選択部３１とに出力する。
【００６７】
記憶部３３は、上記複数の指標を、一連の超音波画像各々に対応付けて記憶する。
【００６８】
選択部３１は、カラー指標と動き指標と血流速指標とのうち少なくとも一つに基づいて、一連の超音波画像から記録に適したカラードプラ画像を選択する。以下、具体的に説明するため、カラードプラ画像の選択に用いる指標は、カラー指標、動き指標、血流速指標であるものとする。選択部３１は、入力部１７を介して所定の操作が入力されると、カラー指標が大きい複数のカラードプラ画像を、一連の超音波画像から選択する。次いで、選択部３１は、カラー指標を用いて選択された複数のカラードプラ画像から、動き指標の小さい複数のカラードプラ画像が選択される。最後に、選択部３１は、動き指標を用いて選択された複数のカラードプラ画像から、血流速指標が最大となるカラードプラ画像が選択される。選択部３１は、これら複数の指標により選択されたカラードプラ画像を、記憶部３３と表示部１５とに出力する。
【００６９】
入力部１７は、複数の指標のうち発生される指標、およびカラードプラ画像の選択に用いられる指標を、操作者の指示により適宜選択入力することができる。
【００７０】
（カラードプラ画像指標選択機能）  
カラードプラ画像指標選択機能とは、特定情報に基づいて発生された指標を用いて、一連の超音波画像から、記録に適したカラードプラ画像を選択する機能である。以下、カラードプラ画像指標選択機能に関する処理（以下、カラードプラ画像指標選択処理と呼ぶ）について説明する。
【００７１】
図８は、カラードプラ画像指標選択処理の手順の一例を示すフローチャートである。  
被検体に対する超音波の送受信により、超音波画像が発生される（ステップＳｂ１）。発生された超音波画像に基づいて、特定情報が発生される（ステップＳｂ２）。発生された特定情報に基づいて、記録に適したカラードプラ画像に関する指標が、一連の超音波画像各々に対応付けて発生される（ステップＳｂ３）。発生された指標が、超音波画像におけるカラードプラ画像と対応付けて、カラードプラ画像とともに記憶部３３に記憶される（ステップＳｂ４）。所定の操作が入力されるまで、ステップＳｂ２乃至ステップＳｂ４の処理が繰り返される（ステップＳｂ５）。
【００７２】
所定の操作が入力される（ステップＳｂ５）と、指標に基づいて、記録に適したカラードプラ画像が選択される（ステップＳｂ６）。選択されたカラードプラ画像が、表示部１５に表示される（ステップＳｂ７）。選択されたカラードプラ画像が、記憶部３３に記憶される（ステップＳｂ８）。
【００７３】
以上に述べた構成によれば、以下の効果を得ることができる。  
本実施形態における超音波診断装置１によれば、超音波画像に基づいて発生された特定情報に基づいて、複数の指標が発生される。次いで、発生された指標に基づいて、記録に最適なカラードプラ画像を選択することができる。これにより、操作者が所望する記録に最適なカラードプラ画像（高画質、最大カラー画素数、最大流速値などを有するカラードプラ画像）を、表示および記憶することができる。以上のことから、所定の操作の実行タイミングによって、被検体の呼吸および拍動、超音波プローブを保持する操作者の手の震えなどが、カラードプラ画像に影響を及ぼすことを回避することができる。加えて、本実施形態によれば、自動的に記録に最適なカラードプラ画像を選択できることから、操作者の手を煩わせることなく、検査効率を向上させることができる。また、記録に不適な状態でカラードプラ画像を記憶させることを回避することができる。
【００７４】
加えて、実施形態に係る各機能は、当該処理を実行するプログラムをワークステーション等のコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記憶媒体に格納して頒布することも可能である。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００７６】
１…超音波診断装置、１１…超音波プローブ、１３…装置本体、１５…表示部、１７…入力部、１９…生体信号計測部、２１…送受信部、２３…Ｂモード処理部、２５…ドプラ処理部、２７…超音波画像発生部、２９…特定情報発生部、３１…選択部、３３…記憶部、３５…画像合成部、３７…インターフェース部、３９…制御プロセッサ（ＣＰＵ）、４１…指標発生部
【図１】
2014166198.tif 000003
【図２】
2014166198.tif 000004
【図３】
2014166198.tif 000005
【図４】
2014166198.tif 000006
【図５】
2014166198.tif 000007
【図６】
2014166198.tif 000008
【図７】
2014166198.tif 000009
【図８】
2014166198.tif 000010
【図９】
2014166198.tif 000011